(57)【要約】【課題】物品等を保管する際に用いられる簡易型の倉庫に係り、とりわけ上下方向に伸縮可能でトラックに積載して運搬できる伸縮式倉庫に於て、全高を低くできて安定良く運搬したり移動したりする。【解決手段】底体２と、これの両側に収縮位置から伸長位置まで上下方向に伸縮可能に設けられた左右の側体３と、これらの上部に設けられた天体４と、これの上部に設けられた屋根体５とで構成し、とりわけ左右の側体３を、収縮位置から伸長位置まで上下方向に伸縮可能にする。【選択図】　　　　図１
2004027715.tif 000002
【特許請求の範囲】
【請求項１】
底体と、底体の両側に収縮位置から伸長位置まで上下方向に伸縮可能に設けられた左右の側体と、両側体の上部に設けられた天体と、天体の上部に設けられた屋根体と、から構成した事を特徴とする伸縮式倉庫。
【請求項２】
側体は、底体の上に折り重なる折畳み位置から直立した伸長位置まで折畳み可能である請求項１に記載の伸縮式倉庫。
【請求項３】
側体は、直立した収縮位置から直立した伸長位置まで垂直方向に伸縮可能である請求子１に記載の伸縮式倉庫。
【請求項４】
底体は、フォークポケットを備えている請求項１に記載の伸縮式倉庫。
【請求項５】
底体は、錘体を備えている請求項１に記載の伸縮式倉庫。
【請求項６】
天体は、側体の伸長位置では水平状態である請求項１に記載の伸縮式倉庫。
【請求項７】
天体は、側体の伸長位置では片流れ傾斜状態である請求項１に記載の伸縮式倉庫。
【請求項８】
天体は、荷役車両のフォークが挿入できる上部フォークポケットを備えている請求項１に記載の伸縮式倉庫。
【請求項９】
伸長状態の底体と屋根体との間には、これらの間隔を保つ支柱が着脱可能に設けられている請求項１に記載の伸縮式倉庫。
【請求項１０】
支柱と各側体との間には、横棧が着脱可能に設けられている請求項９に記載の伸縮式倉庫。
【発明の詳細な説明】
【０００１】
【発明の属する技術分野】
本発明は、例えば物品等を保管する際に用いられる簡易型の倉庫に係り、とりわけ上下方向に伸縮可能でトラックに積載して運搬できる伸縮式倉庫の改良に関する。
【０００２】
【従来の技術】
従来、伸縮式倉庫としては、例えば特開平５−２３９８６３号や実開平６−６６３８号や実開平６−６７７２８号や特開２００１−９０１９７号等に記載されたものが知られている。
当該伸縮式倉庫は、倉庫全体を水平方向に伸縮可能に構成したものである。
而して、この様なものは、水平方向に伸縮できるので、収縮した場合には、水平方向の長さが小さくなり、占有面積を減少する事ができる。
【０００３】
【発明が解決しようとする課題】
ところが、この様なものは、全高が変わらないので、嵩高なものになり、トラックに積載して運搬したり他所へ移動する際には、安定性が悪かった。
【０００４】
本発明は、叙上の問題点に鑑み、これを解消する為に創案されたもので、その課題とする処は、全高を低くできて安定良く運搬したり移動できる様にした伸縮式倉庫を提供するにある。
【０００５】
【課題を解決するための手段】
本発明の伸縮式倉庫は、基本的には、底体と、底体の両側に収縮位置から伸長位置まで上下方向に伸縮可能に設けられた左右の側体と、両側体の上部に設けられた屋根体と、から構成した事に特徴が存する。
【０００６】
側体を収縮位置にすると、底体に対して屋根体が接近するので、全高が低くなる。従って、トラックの荷台に積載して運搬したり設置場所を移動する場合には、安定良くこれらを行なう事ができる。
側体を伸長位置にすると、底体に対して屋根体が離間するので、所定高さの倉庫にする事ができ、この中に物品等を収納できる。
【０００７】
側体は、底体の上に折り重なる折畳み位置から直立した伸長位置まで折畳み可能であるのが好ましい。この様にすれば、全高を最も小さくする事ができ、複数のものを重ねた状態で運搬する事もできる。
【０００８】
側体は、直立した収縮位置から直立した伸長位置まで上下方向に伸縮可能であるのが好ましい。この様にすれば、全高をそれほど小さくできないものの、強度の大きいものにする事ができる。
【０００９】
底体は、フォークポケットを備えているのが好ましい。この様にすれば、フォークポケットに荷役車両のフォークを挿入して倉庫全体を昇降できると共に、移動する事ができる。
【００１０】
底体は、錘体を備えているのが好ましい。この様にすれば、底体の重量を大きくする事ができ、安定して設置場所に鎮座させる事ができる。その結果、強風等の外力が作用しても、転倒する惧れがない。
【００１１】
天体は、側体の伸長位置では水平状態であるのが好ましい。この様にすれば、両側体を対称状に構成できるので、これらの製作が行ない易い。
【００１２】
天体は、側体の伸長位置では片流れ傾斜状態であるのが好ましい。この様にすれば、両側体が非対称になるものの、天体の上部に屋根体を直接設ける事ができるので、構造を簡単化できると共に、コストの削減を図る事ができる。
【００１３】
天体は、荷役車両のフォークが挿入できる上部フォークポケットを備えているのが好ましい。この様にすれば、荷役車両のフォークを利用して天体を昇降する事ができる。
【００１４】
伸長状態の底体と屋根体との間には、これらの間隔を保つ支柱が着脱可能に設けられているのが好ましい。この様にすれば、側体が収縮しようとしても、支柱に依りこれが防止されるので、安全性が増大すると共に、倉庫全体の強度を高める事ができる。
【００１５】
支柱と各側体との間には、横棧が着脱可能に設けられているが好ましい。この様にすれば、倉庫全体の強度を更に高める事ができる。
【００１６】
【発明の実施の形態】
以下、本発明の実施の形態を、図面に基づいて説明する。
図１は、本発明の第一例に係る伸縮式倉庫を示す分解斜視図。図２は、伸長状態を示す正面図。図３は、収縮途中及び収縮状態を示す図２と同様図。図４は、図２の側面図。図５は、底体と側体との連結部分を示す拡大断面図である。
【００１７】
伸縮式倉庫１は、底体２、側体３、天体４、屋根体５とからその主要部が構成されている。
【００１８】
底体２は、伸縮式倉庫１の基本部分を為すもので、この例では、トラックの荷台に積載できる大きさを備えて横長の長方形状を呈し、四枠状に枠組みされた前後左右の水平材６と、前後の水平材６を貫通してこの間に架設された左右の角筒材７と、水平材６と角筒材７とを縦横に連結する適数の補強材８と、これらの底面に設けられた底板９とを備えている。底体２は、横幅（左右方向の長さ）が約４．２ｍ、奥行（前後方向の長さ）が約１．８ｍにしてある。底体２は、角筒材７に依り左右一対のフォークポケット１０が形成されている。
底体２の内部には、コンクリートや砂等の重量のある錘体１１が充填される。錘体１１がコンクリートの場合は、底体２の上面と面一になるまでコンクリートが充填されてその上面が床面にされる。錘体１１が砂の場合は、底体２の上面と略面一になるまで砂が充填された後に、これを覆う様に底体２の上面には床板（図示せず）が固定されて砂の流出が防止される。
【００１９】
側体３は、底体２の両側に収縮位置から伸長位置まで上下方向に伸縮可能に設けられた左右のもので、この例では、縦長の長方形状を呈し、底体２の上に折り重なる折畳み位置から直立した伸長位置まで折畳み可能にしている。側体３は、奥行（前後方向の長さ）が約１．８ｍ、高さ（上下方向の長さ）が約２．７ｍにしてある。
側体３は、上下方向に二分割されて下部側体１２と上部側体１３を備えて居り、その各高さは、底体２の上に折畳める様に底体２の横幅の半分より小さくしてある。下部側体１２は、前後の垂直材と上下の水平材とに依り四枠状を呈している。上部側体１３は、前後の垂直材と上部の水平材に依り略倒立Ｕ型を呈している。
【００２０】
下部側体１２と上部側体１３との間には、これらを屈折可能に連結する第一連結具１４が介設されていると共に、下部側体１２と底体２との間及び上部側体１１３と天体４との間には、これらを屈曲可能に連結する第二連結具１５が介設されている。
第一連結具１４は、前後軸廻りに回動可能な蝶番にしてあり、下部側体１２と上部側体１３の隣接箇所の外側に設けられている。
第二連結具１５は、底体２及び天体３の夫々四隅に付設された支板と、これと下部側体１２の下部及び上部側体１３の上部とに連通して穿設されたボルト穴と、これに挿通されるボルトと、これに螺合されるナットとを備えて居り、ボルトとナットは、前後軸廻りの回動可能な支軸を為している。
【００２１】
下部側体１２と上部側体１３との間には、これらを伸長状態に保持する第一保持具１６が介設されていると共に、下部側体１２と底体２との間及び上部側体１３と天体４との間には、これらを伸長状態に保持する第二保持具１７が介設されている。
第一保持具１６は、下部側体１２の上部に付設された前後一対の支板と、これと上部側体１３の下部に連通すべく穿設されたボルト穴と、これに挿通されるボルトと、これに螺合されるナットとを備えている。
第二保持具１７は、下部側体１２の下部及び上部側体１３の上部に穿設された作業穴１８と、下部側体１２の下部及び上部側体１３の上部と底体２及び天体４とに穿設されて作業穴１８に連通するボルト穴１９と、底体２及び天体３に設けられたナット２０と、作業穴１８からボルト穴１９に挿通されてナット２０に螺合されるボルト２１とを備えている。
【００２２】
天体４は、両側体３の上部に設けられたもので、この例では、側体３の伸長位置では水平状態である。
天体４は、横長の長方形状を呈し、四枠状に枠組みされた前後左右の水平材２２と、左右の水平材２２の中間同士を連結する補強材２３とを備えている。
【００２３】
屋根体５は、天体４の上部に設けられたもので、この例では、波状の屋根板２４と、これを支持する支持体２５と、これらを天体４の上部に前側が上がって後側が下がるべく片流れ傾斜状態に取り付ける為の枕体２６とを備えている。
屋根板２４は、波の方向が左右方向を向く様に配されて雨が前側から後側に流れる様にしてある。支持体２５は、四枠状に枠組みされた前後左右の水平材と、左右の水平材の中間同士を連結する補強材とを備えている。枕体２６は、天体４と支持体２５との前側間に介設されている。
【００２４】
底体２と天体４との間には、側体３の伸長時に同状態を保つ為の支柱２７が着脱可能に設けられる。支柱２７は、底体２と天体４の後側中央に単一だけ設けられて居り、底体２及び天体４と支柱２７との間には、着脱具２８が設けられている。着脱具２８は、底体２及び天体４と支柱２７の上下に付設された支板と、これらに連通すべく穿設されたボルト穴と、これに挿通されるボルトと、これに螺合されるナットとを備えている。
【００２５】
次に、この様な構成に基づいてその作用を述解する。
図３の実線は、伸縮式倉庫１の収縮（折畳み）状態を示している。この様な状態では、図２に示す伸長状態の時に比べて全高が約四分の一程度になるので、極めて嵩低いものになる。従って、トラックの荷台に積載して運搬する場合でも安定性が損なわれず、安全に運搬する事ができる。
【００２６】
勿論、同様のものを複数段積み重ねて運搬する事もできる。この場合、各伸縮式倉庫１どうしが接触して損傷しない様に多段式の収容棚をトラックに設置して各棚に挿入するのが好ましい。
伸縮式倉庫１は、フォークポケット１０にフォークリフト等の荷役車両のフォークを挿入して持上げる事に依り移動する事ができる。この為、設置場所を変えたり、運搬する事ができる。
【００２７】
伸縮式倉庫１を伸長させる場合は、伸縮式倉庫１を所定の設置場所に載置した後、天体４の下にフォークを差し入れてこれを持上げる。そうすると、左右の側体３は、図３の実線で示す折畳み状態から鎖線で示す様に漸次伸長して行き、図２に示す如く、伸長状態にされる。両側体３が伸長状態になると、天体４が底体２に対して最も離間した上昇位置になる。この時、下部側体１２と上部側体１３は、第一連結具１４に依り前後軸廻りに回動されると共に、底体２及び天体４に対して第二連結具１５に依り前後軸廻りに回動され、直立した伸長状態にされる。
両側体３が伸長状態にされると、第一保持具１６及び第二保持具１７に依り伸長状態に保たれると共に、底体２と天体４との間には、支柱２７が着脱具２８に依り介在されて収縮されない様にされる。
【００２８】
而して、図略しているが、伸縮式倉庫１の左右両側（両側体３の外側）と後側（底体２と側体３と天体４とで囲まれる後側）には、シート材やパネル材等が着脱可能に取り付けられて塞がれると共に、前側（底体２と側体３と天体４とで囲まれる前側）には、カーテンやシャッタ等が着脱可能に取り付けられて開閉可能な出入口が形成される。
【００２９】
次に、本発明の第二例を、図６乃至図９に基づいて説明する。
図６は、本発明の第二例の伸縮式倉庫を示す伸長状態の正面図。図７は、収縮状態を示す図６と同様図。図８は、図６の側面図。図９は、保持具の付近を示す縦断側面図である。
【００３０】
第二例は、側体３を、直立した収縮位置から直立した伸長位置まで上下方向に伸縮可能にした点、下部側体１２と上部側体１３との間だけにこれらを伸長状態に保持する保持具２９を設けた点、が第一例と異なり、その他は、第一例と同様である。
【００３１】
つまり、側体３は、上下方向に二分割されて下部側体１２と上部側体１３を備えている。下部側体１２は、前後の垂直材と上下の水平材とに依り四枠状を呈して居り、その下部が底体２の側部に固定されている。上部側体１３は、下部側体１２より小径の前後の垂直材と同じく小径の上部の水平材に依り略倒立Ｕ型を呈して居り、その上部が天体４の側部に固定されている。そして、下部側体１２の垂直材の内部には、上部側体１３の垂直材が摺動可能に内嵌されて所謂テレスコープ状に伸縮できる様にしてある。
保持具２９は、下部側体１２の上部と上部側体１３の下部に連通すべく穿設されたボルト穴３０と、これに挿通されるボルト３１と、これに螺合されるナット３２とを備えている。
【００３２】
この様なものは、側体３を所謂二段に伸縮可能にしたので、収縮時の全高が伸長時の略半分になると共に、下部側体１２の下部及び上部側体１３の上部が底体２及び天体３に固定されているので、構造が簡単化されて強度を大幅に高める事ができる。
【００３３】
次に、本発明の第三例を、図１０乃至図１５に基づいて説明する。
図１０は、本発明の第三例に係る伸縮式倉庫を示す分解斜視図。図１１は、伸長状態を示す正面図。図１２は、収縮途中及び収縮状態を示す図１１と同様図。図１３は、図１１の側面図。図１４は、底体と側体との連結部分を示す拡大断面図。図１５は、側体と横棧と支柱との連結部分を示す横断平面図である。
【００３４】
第三例は、天体４が側体３の伸長位置では片流れ傾斜状態である点、天体４が荷役車両のフォークが挿入できる上部フォークポケット３３を備えている点、支柱２４と各側体３との間には横棧３４が着脱可能に設けられている点、等が第一例と異なり、その他は、第一例と同様である。
【００３５】
つまり、天体４は、横長の長方形状を呈し、四枠状に枠組みされた前後左右の水平材２２と、左右の水平材２２の中間同士を連結する補強材２３とを備えて居り、前側が高く後側が低くなる様に片流れ傾斜状態にされている。この様にする為に、上部側体１３の垂直材は、前側が後側より高くされていると共に、上部側体１３と天体４との間に介設する第二連結具１５の支板も、同様に前側が後側より長くされている。そして、屋根体５は、屋根板２４だけで構成され、これが片流れ傾斜状態にされた天体４の上に直接設けられている。
【００３６】
第二保持具１７は、下部側体１２の下部及び上部側体１３の上部に貫通して固定されたボルト挿通用のパイプ３５と、底体２及び天体４に穿設されてパイプ３５に連通するボルト穴１９と、底体２及び天体４に設けられたナット２０と、パイプ３５からボルト穴１９に挿通されてナット２０に螺合されるボルト２１とを備えている。
上部フォークポケット３３は、天体４の補強材２３に左右のＵ型杆３６を垂設する事に依り形成されている。
横棧３４は、支柱２７と各側体３の後側との夫々中位どうしを連結するもので、両端を押し潰して平坦にした円筒材を用いている。支柱２７と横棧３４との間には、第三連結具３７が設けられていると共に、側体３と横棧３４との間には、第四連結具３８が設けられている。
【００３７】
第三連結具３７は、支柱２７の中位に付設された支板と、これと横棧３４の平坦部に連通すべく穿設されたボルト穴と、これらに挿通されるボルトと、これに螺合されるナットとを備えている。
第四連結具３８は、側体３の中位に配される略Ｚ型の支板３９と、これと横棧３４の平坦部に連通すべく穿設されたボルト穴４０と、これらに挿通されるボルト４１と、これに螺合されるナット４２とを備えている。而して、支板３９は、第一保持具１６のボルトの頭部と兼用させて居り、第一保持具１６のボルトの頭部を除いた螺子軸部が取り付けられている。
【００３８】
この様なものは、天体４が片流れ傾斜状態にされているので、この上に屋根体５を直接設ける事ができ、支持体２５や枕体２６が不要になって、部品点数を削減する事ができる。
第二保持具１７は、パイプ３５を設けているので、強度が増大されると共に、作業穴１８が不要となるので、ボルト２１の螺合作業が行ない易くなる。
天体４には、上部フォークポケット３３が設けられているので、天体４を荷役車両のフォークで持上げる際にこれらが相対的に滑る事がなく、天体４を確実に持上げる事がてきる。
各側体３と支柱２７との間には、横棧３４を取り付ける様にしたので、伸縮式倉庫１として変形する事がなくなると共に、全体の強度を増加できる。
第四連結具３８の支板３９は、第一保持具１６のボルトの頭部と兼用する様にしたので、部品点数が減少すると共に、組立てが簡素化される。
【００３９】
尚、側体３は、第二の例では、垂直方向に伸縮可能であったが、これに限らず、例えば斜め上下方向に伸縮可能であっても良い。
側体３は、先の例では、上下方向に二分割していたが、これに限らず、例えば三以上に分割しても良い。
第二連結具１５、第一保持具１６、第二保持具１７、第三連結具３７、第四連結具３８は、先の例では、ボルトとナットを用いたが、これに限らず、例えばピン等を用いても良い。
【００４０】
【発明の効果】
以上、既述した如く、本発明に依れば、次の様な優れた効果を奏する事ができる。
（１）　底体と、これの両側に収縮位置から伸長位置まで上下方向に伸縮可能に設けられた左右の側体と、これらの上部に設けられた天体と、これの上部に設けられた屋根体とで構成し、とりわけ左右の側体を、収縮位置から伸長位置まで上下方向に伸縮可能にしたので、全高を低くできて安定良く運搬したり移動したりできる。
【図面の簡単な説明】
【図１】本発明の第一例に係る伸縮式倉庫を示す分解斜視図。
【図２】伸長状態を示す正面図。
【図３】収縮途中及び収縮状態を示す図２と同様図。
【図４】図２の側面図。
【図５】底体と側体との連結部分を示す拡大断面図。
【図６】本発明の第二例の伸縮式倉庫を示す伸長状態の正面図。
【図７】収縮状態を示す図６と同様図。
【図８】図６の側面図。
【図９】保持具の付近を示す縦断側面図。
【図１０】本発明の第三例に係る伸縮式倉庫を示す分解斜視図。
【図１１】伸長状態を示す正面図。
【図１２】収縮途中及び収縮状態を示す図１１と同様図。
【図１３】図１１の側面図。
【図１４】底体と側体との連結部分を示す拡大断面図。
【図１５】側体と横棧と支柱との連結部分を示す横断平面図。
【符号の説明】
１…伸縮式倉庫、２…底体、３…側体、４…天体、５…屋根体、６，２２，４１…水平材、７…角筒材、８，２３，１８，３７，４３，５２，５４…補強材、９…底板、１０…フォークポケット、１１…錘体、１２…下部側体、１３…上部側体、１４…第一連結具、１５…第二連結具、１６…第一保持具、１７…第二保持具、１８…作業穴、１９，２８，３０，４０…ボルト穴、２１，３１，４１…ボルト、２０，３２，４２…ナット、２４…屋根板、２５…支持体、２６…枕体、２７…支柱、２８…着脱具、２９…保持具、３３…上部フォークポケット、３４…横棧、３５…パイプ、３６…Ｕ型杆、３７…第三連結具、３８…第四連結具、３９…支板。
【図１】
2004027715.tif 000003
【図２】
2004027715.tif 000004
【図３】
2004027715.tif 000005
【図４】
2004027715.tif 000006
【図５】
2004027715.tif 000007
【図６】
2004027715.tif 000008
【図７】
2004027715.tif 000009
【図８】
2004027715.tif 000010
【図９】
2004027715.tif 000011
【図１０】
2004027715.tif 000012
【図１１】
2004027715.tif 000013
【図１２】
2004027715.tif 000014
【図１３】
2004027715.tif 000015
【図１４】
2004027715.tif 000016
【図１５】
2004027715.tif 000017